【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、
作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、
前記第１凝縮器と前記第２凝縮器とを連結する連結部と、
を有し、
前記第１のヒートパイプ部と前記第２のヒートパイプ部は、複数の金属層を積層してなり、
前記連結部は、前記複数の金属層のうちの少なくとも１層の金属層からなること、
ことを特徴とするループ型ヒートパイプ。
【請求項２】
前記連結部は、前記第１凝縮器と前記第２凝縮器とに隣接していることを特徴とする請求項１に記載のループ型ヒートパイプ。
【請求項３】
前記複数の金属層は、
前記第１のヒートパイプ部の上面及び前記第２のヒートパイプ部の上面を含む最上層の金属層と、
前記第１のヒートパイプ部の下面及び前記第２のヒートパイプ部の下面を含む最下層の金属層と、
前記最上層の金属層と前記最下層の金属層との間に位置する１つ又は複数の中間金属層とを含み、
前記連結部は、前記１つ又は複数の中間金属層のうちの少なくとも１つからなること、を特徴とする請求項１又は請求項２に記載のループ型ヒートパイプ。
【請求項４】
前記連結部を形成する前記少なくとも１層の金属層の数は、前記複数の金属層の数未満であり、
前記連結部を形成する前記少なくとも１層の金属層を除く前記複数の金属層のうちの少なくとも１層は、前記第１凝縮器の表面積及び前記第２凝縮器の表面積のうちの少なくとも一方を大きくするように前記連結部の中央に向かって延出していること、を請求項１〜３のいずれか１項に記載のループ型ヒートパイプ。
【請求項５】
前記連結部は、少なくとも１つの溝部を含むことを特徴とする請求項１〜４のいずれか１項に記載のループ型ヒートパイプ。
【請求項６】
前記少なくとも１つの溝部は、前記連結部が折り曲げられたときに前記第１のヒートパイプ部と前記第２のヒートパイプ部とが平行に配置されるように前記連結部の折り曲げ位置に設けられていることを特徴とする請求項５に記載のループ型ヒートパイプ。
【請求項７】
配線基板の上面に実装された第１の発熱部品と、
前記配線基板の下面に実装された第２の発熱部品と、
前記第１の発熱部品及び前記第２の発熱部品を冷却するループ型ヒートパイプと、
を有し、
前記ループ型ヒートパイプは、
前記第１の発熱部品の熱により作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、
前記第２の発熱部品の熱により作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、
前記第１凝縮器と前記第２凝縮器とを連結する連結部と、
を有し、
前記第１のヒートパイプ部と前記第２のヒートパイプ部は、複数の金属層を積層してなり、
前記連結部は、前記複数の金属層の少なくとも１層の金属層からなる、電子機器。
【請求項８】
前記連結部を前記配線基板の側面に固定する接続部材を備える、請求項７に記載の電子機器。
【請求項９】
ヒートシンクと、
前記配線基板、前記第１の発熱部品、前記第２の発熱部品、前記ループ型ヒートパイプ、及び前記ヒートシンクを収容する筐体と、を更に備え、
前記ヒートシンクは、前記筐体の内面及び前記連結部に接続されている、
請求項７に記載の電子機器。
【請求項１０】
配線基板の上面に実装された第１の発熱部品及び第２の発熱部品と、
前記第１の発熱部品及び前記第２の発熱部品を冷却するループ型ヒートパイプと、
を有し、
前記ループ型ヒートパイプは、
前記第１の発熱部品の熱により作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、
前記第２の発熱部品の熱により作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、
前記第１凝縮器と前記第２凝縮器とを連結する連結部と、
を有し、
前記第１のヒートパイプ部と前記第２のヒートパイプ部は、複数の金属層を積層してなり、
前記連結部は、前記複数の金属層の少なくとも１層の金属層からなる、電子機器。
【請求項１１】
複数の金属層を積層することにより、第１蒸発器、第１凝縮器、第１液管、及び第１蒸気管を有する第１のヒートパイプ部と、第２蒸発器、第２凝縮器、第２液管、及び第２蒸気管を有する第２のヒートパイプ部とを形成するとともに、前記複数の金属層のうちの少なくとも１層の金属層からなり、前記第１凝縮器と前記第２凝縮器とを連結する連結部を形成する工程を有する、ループ型ヒートパイプの製造方法。
【手続補正２】
【補正対象書類名】明細書
【補正対象項目名】０００５
【補正方法】変更
【補正の内容】
【０００５】
本発明の一観点によれば、ループ型ヒートパイプは、作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、前記第１凝縮器と前記第２凝縮器とを連結する連結部と、を有し、前記第１のヒートパイプ部と前記第２のヒートパイプ部は、複数の金属層を積層してなり、前記連結部は、前記複数の金属層のうちの少なくとも１層の金属層からなる。
【手続補正３】
【補正対象書類名】明細書
【補正対象項目名】０００６
【補正方法】変更
【補正の内容】
【０００６】
また、別の一観点によれば、電子機器は、配線基板の上面に実装された第１の発熱部品と、前記配線基板の下面に実装された第２の発熱部品と、前記第１の発熱部品及び前記第２の発熱部品を冷却するループ型ヒートパイプと、を有し、前記ループ型ヒートパイプは、前記第１の発熱部品の熱により作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、前記第２の発熱部品の熱により作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、前記第１凝縮器と前記第２凝縮器とを連結する連結部と、を有し、前記第１のヒートパイプ部と前記第２のヒートパイプ部は、複数の金属層を積層してなり、前記連結部は、前記複数の金属層の少なくとも１層の金属層からなる。
また、別の一観点によれば、電子機器は、配線基板の上面に実装された第１の発熱部品及び第２の発熱部品と、前記第１の発熱部品及び前記第２の発熱部品を冷却するループ型ヒートパイプと、を有し、前記ループ型ヒートパイプは、前記第１の発熱部品の熱により作動流体を気化させる第１蒸発器と、前記第１蒸発器において気化した前記作動流体を液化する第１凝縮器と、前記第１蒸発器において気化した前記作動流体を前記第１凝縮器に流入させる第１蒸気管と、前記第１凝縮器において液化した前記作動流体を前記第１蒸発器に流入させる第１液管とを有する第１のヒートパイプ部と、前記第２の発熱部品の熱により作動流体を気化させる第２蒸発器と、前記第２蒸発器において気化した前記作動流体を液化する第２凝縮器と、前記第２蒸発器において気化した前記作動流体を前記第２凝縮器に流入させる第２蒸気管と、前記第２凝縮器において液化した前記作動流体を前記第２蒸発器に流入させる第２液管とを有する第２のヒートパイプ部と、前記第１凝縮器と前記第２凝縮器とを連結する連結部と、を有し、前記第１のヒートパイプ部と前記第２のヒートパイプ部は、複数の金属層を積層してなり、前記連結部は、前記複数の金属層の少なくとも１層の金属層からなる。
【手続補正４】
【補正対象書類名】明細書
【補正対象項目名】０００７
【補正方法】変更
【補正の内容】
【０００７】
また、本発明の一観点によるループ型ヒートパイプの製造方法は、複数の金属層を積層することにより、第１蒸発器、第１凝縮器、第１液管、及び第１蒸気管を有する第１のヒートパイプ部と、第２蒸発器、第２凝縮器、第２液管、及び第２蒸気管を有する第２のヒートパイプ部とを形成するとともに、前記複数の金属層のうちの少なくとも１層の金属層からなり、前記第１凝縮器と前記第２凝縮器とを連結する連結部を形成する工程を有する。